(57)【特許請求の範囲】
【請求項１】
空調装置を管理するシステムであって、
前記空調装置から送られる前記空調装置の引く電力を表す信号を遠隔的に検知する、少なくともひとつのワイヤレスセンサ（５１）を有し、前記空調装置の動作状態および動作モード、並びに、前記空調装置への電力供給を制御するための電力スイッチのオン・オフ状態を制御する、単一のコントローラを備え、
前記コントローラは、前記空調装置との間で２方向通信を通じて、前記少なくともひとつのワイヤレスセンサ（５１）が検知した前記空調装置の引く電力の情報に基づいて、前記電力スイッチのオン・オフ状態を自動的に制御することを特徴とするシステム。
【請求項２】
前記コントローラに接続された主電源（１１）をさらに備える、請求項１に記載のシステム。
【請求項３】
前記少なくともひとつのワイヤレスセンサ（５１）は、少なくともひとつの周囲環境パラメータを遠隔的に検知し、
前記コントローラは、前記空調装置との間で２方向通信を通じて、前記周囲環境パラメータの情報にさらに基づいて、前記動作状態および動作モードを自動的に制御する、ことを特徴とする請求項１または２に記載のシステム。
【請求項４】
前記少なくともひとつのワイヤレスセンサ（５１）は、赤外線作動センサである、ことを特徴とする請求項２に記載のシステム。
【請求項５】
前記少なくともひとつの周囲環境パラメータは、温度、湿度、電磁気放射、または動きのいずれかまたは組みあわせである、ことを特徴とする請求項３に記載のシステム。
【請求項６】
前記コントローラ（１２）は、前記空調装置へ信号を送信するための少なくともひとつの信号送信機を有する、ことを特徴とする請求項２に記載のシステム。
【請求項７】
前記コントローラ（１２）は、前記空調装置の電力を測定するモジュールを有する、ことを特徴とする請求項２に記載のシステム。
【請求項８】
前記コントローラ（１２）は、前記空調装置が最適なレベルで動作できるように、前記空調装置のエネルギー消費量を学習するように構成される、ことを特徴とする請求項２または３に記載のシステム。
【請求項９】
前記コントローラ（１２）は、ネットワークサポートを具備する、ことを特徴とする請求項２に記載のシステム。
【請求項１０】
前記ネットワークサポートは、ワイヤレスネットワークを含む、ことを特徴とする請求項８に記載のシステム。
【請求項１１】
前記コントローラ（１２）は、遠隔システムからのアクセスを許可するように構成される、ことを特徴とする請求項２に記載のシステム。
【請求項１２】
前記コントローラ（１２）は、温度を制御するように構成される、ことを特徴とする請求項２に記載のシステム。
【請求項１３】
前記コントローラ（１２）は、予め定められたスケジュールを具備する、ことを特徴とする請求項２に記載のシステム。
【請求項１４】
前記コントローラ（１２）は、動作状態を予め定めるためのフレキシビリティを具備する、ことを特徴とする請求項２に記載のシステム。
【請求項１５】
前記コントローラ（１２）は、ユーザーからの入力を受信し、情報を表示するためのユーザーインターフェースを有する、ことを特徴とする請求項２に記載のシステム。
【請求項１６】
前記空調装置は、空調電化製品、分割系統空調電化製品、天井ファン装置、壁面ファン装置、または、タワーファン装置である、ことを特徴とする請求項２に記載のシステム。
【請求項１７】
空調装置を制御するコントローラであって、
前記空調装置の引く電力を遠隔的に検知する少なくともひとつのワイヤレスセンサ（５１）と、
前記空調装置へ信号を送信する少なくともひとつの信号送信機（５３）と、
ユーザーからの入力を受信し、情報を表示するユーザーインターフェース（５４）と、
を備え、
前記コントローラは、前記空調装置と前記コントローラとの間の２方向通信を介して、前記空調装置の動作状態および動作モードを制御するための遠隔制御機能および前記空調装置への電力供給を制御する電力スイッチのオン状態またはオフ状態の電力状態を制御するための電力スイッチ機能を有し、
前記少なくともひとつのワイヤレスセンサ（５１）が検知した、前記空調装置の引く電力の情報に基づいて、前記電力スイッチのオン・オフ状態を自動的に制御する、
ことを特徴とするコントローラ。
【請求項１８】
前記少なくともひとつのワイヤレスセンサ（５１）は、少なくともひとつの周囲環境パラメータを遠隔的に検知し、
前記コントローラは、前記空調装置との間で２方向通信を通じて、前記周囲環境パラメータの情報にさらに基づいて、前記動作状態および動作モードを自動的に制御する、ことを特徴とする請求項に１７に記載のコントローラ。
【請求項１９】
前記コントローラは、前記空調装置によって引かれる電力量を測定する電力測定機能を具備する、ことを特徴とする請求項１７に記載のコントローラ。
【請求項２０】
前記コントローラ（１２）は、前記空調装置によって引かれる電力量を検知する電力検知機能を有する、ことを特徴とする請求項１７に記載のコントローラ。
【請求項２１】
前記少なくともひとつの周囲環境パラメータは、動き、温度、光および湿度のいずれかまたは組みあわせを検知することができる、ことを特徴とする請求項１８に記載のコントローラ。
【請求項２２】
前記少なくともひとつの信号送信機（５３）は赤外線信号を送信する、ことを特徴とする請求項１７に記載のコントローラ。
【請求項２３】
前記コントローラ（１２）は、前記空調装置が最適なレベルで動作することを可能にするべく、前記空調装置のエネルギー消費量を学習するように構成されている、ことを特徴とする請求項１７または１８に記載のコントローラ。
【発明の詳細な説明】
【技術分野】
【０００１】
本願発明は概して電気家電を管理するためのシステムに関し、特に、装置のユニバーサルコントロールによって、制御および監視を行うコントローラを有する空調装置の管理用システムに関する。
【背景技術】
【０００２】
空調装置または分割系統空調装置は、しばしば、装置の異なる機能を制御しかつ管理するためのひとつ以上のコントローラまたはコンポーネントによって制御される。
【０００３】
よりしばしば、これらの電気家電は、家庭用オートメーションおよびビルディングオートメーションシステム内で、一方向通信または単方向制御方法によって制御される。したがって、これらの電気家電の制御およびステータスは通常は知ることができない。例えば、分割系統空調装置用の遠隔制御の赤外線送信機は、装置へ信号を送信することはできるが、遠隔制御が、装置はスイッチオフされていると指示したとしても、装置がメインスイッチで完全にオフされているかどうかに関する分割系統空調装置の電源状態はユーザーには不明なままである。このような状況において、電力は装置のスタンバイモードで無駄になる。
【０００４】
また、主電力スイッチ単独の制御は、空調装置をオンまたはオフさせるのみではなく、ユーザーがメインスイッチによって、温度、ファン速度、湿度レベル、スケジューリングおよび他の関連機能のような動作モードをコントロールすることができない。さらに、たとえ電源がスイッチオンであっても、すべての空調装置が自動的にスイッチオンではなく、赤外線電源オンコマンドが空調装置へ送信されるまでは装置はオフのままである。
【０００５】
分割系統空調装置の異なる機能を制御および管理する従来技術は存在しないが、電気家電、特に、ＨＶＡＣ装置を制御するための公開されたシステムに関する従来技術が存在する。米国特許第８，４７８，４４７号は、無線接続された検知マイクロシステムの分配配置を使って、ひとつ以上のＨＶＡＣ装置を制御するためのシステム、方法およびコンピュータプログラム媒体を開示する。複数の無線通信検知マイクロシステムが与えられ、各々の検知マイクロシステムは、温度センサおよびプロセッサを含み、少なくともひとつの検知マイクロシステムが、それを制御するＨＶＡＣユニットに接続され、複数の検知マイクロシステムは、ＨＶＡＣユニットの制御に関連する少なくともひとつの共有コンピュータタスクを一緒に実行するように構成されている。
【０００６】
米国特許出願公開第２０１４／０１４９２７０号には、マルチユニットビルディング内のプライベートユニット用のコントローラが与えられ、当該コントローラは、プライベートユニットのＨＶＡＣイクイップメントを作動させ、プロセッサ、出力ディスプレイ、メモリ、および通信用のＲＦモジュールを含むことが開示されている。コントローラは、ＨＶＡＣイクイップメントを通過する流体の温度および流量を受信するように動作可能である。ＨＶＡＣイクイップメントを通過する流体の受信した温度値を使って、コントローラはＨＶＡＣイクイップメントのＨＶＡＣ利用測定値を計算し、測定値はエネルギー単位またはドルで示される。
【０００７】
米国特許第８，６４４，１６６号は、接続されたデバイスの動作制御とともに、電力使用を監視しかつ制御するためにＺｉｇＢｅｅ（商標）技術を電力スイッチ装置へ統合するセンサデバイスを開示する。それは、集めたデータを転送し、かつ、接続された装置に遠隔制御能力を与えるべく電力ライン通信（ＰＬＣ）ネットワークを使用する。マスタースイッチ、通信可能化スイッチ、および、電力スイッチデバイスとともに、センサデバイスは、家庭内で接続された家電の動作を遠隔的に監視しかつ制御するとともに、電力使用を通信し、メディアをストリーミングし、監視し、遠隔制御するための統合ホーム環境を与える。
【０００８】
しかし、従来技術は、接続された関連電気家電の状態、動作状態およびモードに関する情報を与えることも可能であるような、分割系統空調装置に対するユニバーサルコントロールの必要性を認識していない。
【発明の概要】
【発明が解決しようとする課題】
【０００９】
本願発明は、空調装置を監視しかつ制御するコントローラを有する、空調装置の電気家電の管理用システムであって、当該システムは、空調装置のユニバーサルコントロールによって構成されるシステムを与えることを追求するものである。
【課題を解決するための手段】
【００１０】
本願発明の目的は、主電源、および、空調装置を制御するためのコントローラを有する空調装置の電気家電の管理用システムを与えることであり、当該コントローラは、動作状態、動作モード、および電力状態を制御し、空調装置によって引かれる電力を検知する。
【００１１】
本願発明の他の目的は、主電源および空調装置を制御するためのコントローラを有する空調装置の電気家電の管理用システムを与えることであり、当該コントローラは、コントローラと家電との間の２方向通信を容易にするべく相互通信能力を有するように構成されている。
【００１２】
本願発明のさらに他の目的は、主電源および空調装置を制御するためのコントローラを有する空調装置の電気家電の管理用システムを与えることであり、当該コントローラは、電力測定機能、電力検出機能、遠隔制御機能、およびメインスイッチ機能を有する。
【００１３】
本願発明のさらに他の目的は、主電源および空調装置を制御するためのコントローラを有する空調装置の電気家電の管理用システムを与えることであり、当該コントロールは、エネルギー消費量を学習するように構成されている。
【００１４】
本願発明のさらに他の目的は、主電源および空調装置を制御するためのコントローラを有する空調装置の電気家電の管理用システムを与えることであり、当該コントローラは、赤外線作動センサを通じて、引かれる電力を検知することにより、動作状態および動作モードを決定する。
【００１５】
本願発明は、単一のコントローラ以外の補助デバイスを必要としない、空調装置の電気家電の管理用システムを与える。本願発明のコントローラは、空調装置に対してユニバーサルコントロールを与える。
【図面の簡単な説明】
【００１６】
【図１】図１は、本願発明に従うシステムの好適実施形態の略示図である。
【図２】図２は、本願発明に従うシステムの他の実施形態の略示図である。
【図３】図３は、本願発明に従うコントローラの実施形態の略示図である。
【発明を実施するための形態】
【００１７】
以下で、本願発明の好適実施形態が、添付した図面を参照して説明される。好適実施形態の各々は、例示に過ぎず本願発明を限定するものではない。
【００１８】
図１を参照して、本願発明に従う好適システムのシステムアーキテクチャーの概略が示されている。システムが空調装置のユニバーサルコントロールを具備するように、当該システムは空調装置を監視しかつ制御するように管理するためのものである。同じ文脈において、システムは、単一のコントローラによって、空調装置の動作状態、動作モード、電力状態を制御するように構成されている。
【００１９】
図１に示す本願発明に従う空調装置の管理用システムは、主電源１１、および、空調装置を制御するためのコントローラ１２を備える。コントローラ１２は、空調装置の動作状態、動作モード、および電力状態を制御するユニバーサルコントロールを具備する。
【００２０】
本願発明の文脈において、ユニバーサルコントロールとは、接続された空調装置の全体の制御を指し、空調装置を制御するための補助デバイスはもはや必要ではない。本願発明の好適なコントローラ１２は、制御機能を電力管理および電力状態制御と結びつけることができる。
【００２１】
ここで空調装置の動作状態とは、空調装置の電力状態がスイッチオンであるときの空調装置の状態を指す。空調装置の動作状態は、好適には、スタンバイ状態、使用中状態、スリープ状態、または、監視状態であるが、これらに限定されない。
【００２２】
ここで空調装置の動作モードとは、空調装置の電力状態がスイッチオンであるときの空調装置のモードを指す。空調装置の動作モードは、好適には、空調装置の温度または湿度モード、または、関連するアプリケーションでの天井ファンのファン速度であるが、これらに限定されない。
【００２３】
空調装置の電力状態は、特徴的にスイッチオンまたはオフである。
【００２４】
本願発明の好適実施形態において、コントローラ１２は、相互通信能力を備え、その結果、コントローラ１２はコントローラ１２と空調装置との間で２方向通信システムを与える。
【００２５】
従来のシステムにおいて、空調装置の制御はしばしば、単方向の制御方法によって実行されてきた。空調装置の明確な状態は従来の制御方法では知ることができず、好ましくない場合、マスターおよびスラバコンセプトに従う。技術、および、時間およびコストが気になるシームレスなレスポンスを達成するための遠隔制御デバイスのロバストな使用が出現している。
【００２６】
遠隔制御装置の有する問題は、これらのデバイスが、しばしば赤外線送信機および空調装置を介して、その状態に依存して、制御信号に応答して、空調装置へ制御信号を送信することしかできないことである。空調装置は、その状態のあらゆる情報を戻すことはない。このような制御方法において相互通信は重要である、空調装置の明確な状態が改良された制御のためには知る必要があるからである。
【００２７】
例えば、電力スイッチが単独で空調装置の電力状態のオンおよびオフのみを切り替えるとする。その切り替えによって、ユーザーは、空調装置の動作状態および動作モードを制御することができない。空調装置の電力スイッチがオンであっても、すべての空調装置が自動的にオンにはならず、その本来の構成に依存して、電源オン切り替え用のコマンドが空調装置に送信されるまでいくつかの空調装置はスイッチオフの状態のままである。
【００２８】
本願発明のコントローラ１２の好適実施形態は、空調装置によって引かれる電力を検知するユニバーサルコントロールを具備する。空調装置は、空調装置によって引かれる電力を検知することにより電力状態を制御することができ、その結果、空調装置の動作状態がオフであれば、空調装置の電力状態はオフにされる。
【００２９】
本願発明の好適なコントローラ１２は、エネルギー消費量を知るように構成されており、当該コントローラ１２は、空調装置からの信号を検知するための、図３に示すような少なくともひとつのワイヤレスセンサ（５１）、電力測定機能、電力検出機能、遠隔制御機能および電力スイッチ機能を備える。これらの機能は、空調装置のユニバーサルコントロールの能力をコントローラ１２に与えるような方法で統合される。この統合により、電力スイッチを制御するための別個のデバイスが不要となり、空調装置の動作モードの動作状態を制御するための別個の制御が不要になる。
【００３０】
電力測定機能は、空調装置によって引かれる電力を測定することができ、空調装置の動作状態および動作モードを決定する。電力検出機能は、空調装置によって引かれる電力を検知することができ、空調装置の電力状態を決定する。
【００３１】
例えば、電力が使用されていなければ、空調装置はスイッチオフである。電力が使用中であれば、空調装置はスイッチオンである。コントローラ１２は、空調装置によって引かれる電力量を検知する。好適には、引かれる電力は、期待電力レベルを解読可能な受信した制御コマンドの処理を介して、赤外線作動センサを通じて検知される。これを拡張して、コントローラは、赤外線コードが十分に受信されたかどうかを決定することも可能である。赤外線コードが送信されたとき、コントローラ１２は、空調装置の電力消費量の変化を探し、その変化は、赤外線コードが確実に受信されたことを示す。
【００３２】
本願発明の好適なコントローラ１２の少なくともひとつのセンサ（５１）は、温度、湿度、電磁気放射または動作のいずれかまたはそれらの組みあわせを検知するためのものである。コントローラ１２は、空調装置へ信号を送信するための少なくとも信号送信機を有し、また、コントローラ１２の学習能力により空調装置が最適レベルで動作可能であるように、空調装置の動作状態を知るための電力測定用モジュールまたは非常に正確な電力測定チップセットを含む。
【００３３】
また、電力測定機能は、空調装置の異なる動作モードのエネルギー消費量を知るために、コントローラ１２に学習能力を与える。電気配線がめぐらされる場合、コントローラ１２は、空調装置全体の電力消費量を測定することも可能である。学習した赤外線ライブラリーは、アプリケーションまたはブラウザーを通じてインポートされまたは選択可能であり、これらのコードはその制御用の空調装置へ送信するために使用される。
【００３４】
他の実施形態において、本願発明のシステムは、ネットワークサポートを具備し、それは好適には、これに限定されないが、ワイヤレスネットワークである。プラットフォームネットワークプリント回路基板（ＰＣＢ）は、ＷｉＦｉ（商標）、ＺｉｇＢｅｅ（商標）、Ｚ−Ｗａｖｅ（商標）、Ｂｌｕｅｔｈｏｏｔｈ（商標）等をサポートするようにコントローラ１２に追加可能であり、それらは、スマートフォン、タブレット、または、パーソナルコンピュータ等の遠隔デバイスから空調装置へのフルアクセスを与える。その結果、コントローラ１２が、遠隔システムからのアクセスを許可するように構成される。
【００３５】
図２を参照して、本願発明に従うシステムの好適実施形態が略示されている。図２に示される空調装置は、好適には、分割系統空調装置３１であるが、これに限定されない。
【００３６】
本願発明の好適実施形態に従い、空調装置３１はコントローラ１２に接続され、コントローラは、２２０Ｖ電源入力の主電源１１に接続されている。普及型の分割系統空調装置３１は、しばしば、壁中にオンオフ主電力スイッチ、および、壁面に設置された赤外線遠隔制御を具備する。本願発明のコントローラは、赤外線制御を必要としない。
【００３７】
また、従来の分割系統空調装置に関して、分割系統空調装置システムの制限されたインテリジェンス、遠隔接続の実行不能、進化した方法での温度制御の実行不能、居住検出の制限または実行不能、遠隔修理の実行不能、性能測定の実行不能、サービスタイムラインの決定の実行不能などの問題が存在する。
【００３８】
本願発明は、分割系統空調装置３１の既存のコントローラを、任意の家庭用オートメーションおよびビルディングオートメーションの技術分野でユニバーサルコントロール能力を与えるコントローラ１２と置き換える。上記したように、本願発明のコントローラ１２は、動作状態および動作モードを制御するユニバーサルコントロールを具備し、空調装置の電力状態を制御し、空調装置によって引かれる電力を検知する。この場合、コントローラ１２は、分割系統空調装置３１の動作状態、動作モード、および、電力状態を制御することができ、赤外線作動センサを介して、分割系統空調装置３１によって引かれる電力を検知することができる。
【００３９】
ユニバーサルコントロールは、分割系統空調装置３１の全体の制御を与え、その結果、空調装置３１の動作状態および動作モードを制御するための遠隔制御はもはや必要ない。コントローラ１２は、電力管理および電力状態コントロールと、制御機能を結びつけることができる。
【００４０】
ここで、空調装置３１の動作状態は、空調装置３１の電力状態がスイッチオンの時の空調装置３１の状態を指す。空調装置の動作状態は、好適には、これに限定されないが、スタンバイ状態、使用中状態、スリープ状態、または、監視状態である。
【００４１】
ここで、空調装置３１の動作状態は、空調装置３１の電力状態がスイッチオンの時の空調装置３１のモードを指す。空調装置３１の動作モードは、好適には、これに限定されないが、温度モード、湿度オード、または環境モードである。
【００４２】
空調ユニット３１の電力状態は、特徴的に、スイッチオンまたはオフである。
【００４３】
本願発明の好適実施形態において、コントローラ１２は、相互通信能力を具備し、その結果、コントローラ１２は、コントローラ１２と空調装置３１との間で、２方向通信を与える。
【００４４】
さらに、本願発明の好適なコントローラ１２は、エネルギー消費量を知るように構成されている。さらにコントローラ１２は、電力測定機能、電力検知機能、遠隔制御機能、および電力スイッチ機能を備える。これらの機能は、コントローラ１２に、空調装置３１のユニバーサルコントロールの能力を与えるような方法で統合される。この統合により、電力スイッチを制御するデバイスが不要となり、空調装置３１の動作モードの動作状態を制御する別個の制御が不要となる。
【００４５】
電力測定機能は、空調装置３１によって引かれる電力量を測定することができ、空調装置３１の動作状態および動作モードを決定する。電力検出機能は、空調装置３１によって引かれる電力量を検知することができ、空調装置３１の電力状態を決定する。
【００４６】
例えば、電力が使用されていなければ、空調装置３１はスイッチオフである。電力が使用されていれば、空調装置３１はスイッチオンである。コントローラ１２は、空調装置３１によって引かれる電力量を検知する。好適には、引かれる電力は、赤外線作動センサを通じて検知される。
【００４７】
これを拡張して、コントローラは、赤外線コードが確実に受信されたか否かを判定することも可能である。赤外線コードが送信されたとき、コントローラ１２は、空調装置３１の電力消費量の変化を探す。この変化は、赤外線コードが確実に受信されたことを示す。また、コントローラ１２は、コントローラ１２の学習能力により空調装置が最適レベルで動作可能となるように、空調装置３１の動作状態を知る非常に正確な電力測定チップセットを含む。
【００４８】
分割系統空調装置３１とともに使用する本願発明のコントローラ１２は、好適には、温度を検知しかつ温度を制御し、湿度を検知し、電磁気放射を検知し、動作を検知するように構成される。電磁気放射は、可視光線または赤外線のような不可視光線であってよい。
【００４９】
温度を検知し、湿度を検知する構成は、環境内で正しい温度を維持してユーザーに効果的な冷却効果を与えることにより、ユーザーに均衡がとれた快適な環境を与えるのに効果的である。可視光を検知する構成は、環境内に光が存在するか否か、または、日光が存在するか否かを検知するのに効果的である。その結果、空調装置３１はエネルギーを節約するべく所定の要求に従ってスイッチオンまたはオフ可能となる。動きを検知する構成は、室内環境内でのユーザーの所在を検知するのに効果的であり、その結果、室内に誰もいなければ空調装置３１はスイッチオフされる。
【００５０】
また、分割系統空調装置３１とともに使用する本願発明のコントローラ１２は、好適には、所定のスケジュールを具備し、スリープおよび動作時間などの分割系統空調装置３１の動作状態を予め決定するフレキシビリティを具備する。重要なことに、コントローラ１２は、ユーザーからの入力を受信するための、および、空調装置３１の複数の情報を表示するためのユーザーインターフェースを有することができる。ユーザーインターフェースは、好適にはこれに限定されないが、カラー液晶ディスプレイ（ＬＣＤ）タッチスクリーンディスプレイである。
【００５１】
これらの特徴は、分割系統空調装置３１に限定されず、本願発明のコントローラ１２のような任意の空調装置３１は、天井ファン装置、壁面ファン装置、タワーファン装置用に作成または使用可能であり、または、既存の装置に容易にインストール可能なヒータ、換気、空調（ＨＶＡＣ）システム用に作成および使用可能である。本願発明のコントローラ１２は、２線式または３線式回路のいずれかによって付勢可能である。コントローラ１２は、ブリティッシュ標準およびオーストラリア製電気コンセントの内部または上に設置可能である。
【００５２】
コントローラ１２は遠隔システムからアクセス可能であるように構成されるのが好ましい。その結果、本願発明のシステムは、好適にはワイヤレスネットワークに限定されないネットワークサポートを具備する。プラットフォームネットワークプリント回路基板（ＰＢＣ）が、ＷｉＦｉ（商標）、ＺｉｇＢｅｅ（商標）、Ｚ−Ｗａｖｅ（商標）、Ｂｌｕｅｔｏｏｔｈ（商標）等をサポートするためにコントローラ１２に追加可能であり、それらは、スマートフォン、タブレット、または、パーソナルコンピュータなどの遠隔デバイスから空調装置３１へのフルアクセスを与える。
【００５３】
図３を参照して、本願発明に従うコントローラ１２の実施形態の略示図が示されている。
【００５４】
コントローラ１２は、スクリーン、ボタンおよびセンサを有するボックス状のデバイスとして示されている。本願発明の好適実施形態のコントローラ１２は、空調装置からの信号を検知するための少なくともひとつのセンサ５１、空調装置へ信号を送信するための少なくともひとつの信号送信機５３、および、ユーザーからの入力を受信し、情報を表示するためのユーザーインターフェース５４を備え、コントローラ１２は遠隔制御機能およびメインスイッチ機能を具備する。
【００５５】
コントローラ１２は、少なくともひとつの赤外線送信機、ＬＣＤカラーディスプレイ、機能ボタン、および、機械的基板を有して構成され、さらに、動き、温度、光および湿度を検知するように構成されている。
【００５６】
上記したように、赤外線送信機は、信号を送信し、かつ、空調装置からの信号を受信する。ＬＣＤカラーディスプレイは、ユーザーからの入力を受信し、かつ、空調装置の複数の情報を表示するためのユーザーインターフェースである。センサは、温度を検知し、湿度を検知し、光を検知し、動きを検知するよう構成可能である。
【００５７】
本願発明は、多くのバリエーション、修正および変更が可能であり、上述しまたは図面に記載されたすべての事項は、例示に過ぎず、限定することを意図したものではないことは当業者の知るところである。
【先行技術文献】
【特許文献】
【００５８】
【特許文献１】米国特許第８，４７８，４４７号明細書
【特許文献２】米国特許出願公開第２０１４／０１４９２７０号明細書
【特許文献３】米国特許第８，６４４，１６６号明細書
【図１】
0006401392.tif 000002
【図２】
0006401392.tif 000003
【図３】
0006401392.tif 000004